(57)【要約】【課題】センサを内蔵しない照明器具を制御するための制御ブロックを持つことなく、センサを内蔵しない照明器具を制御することができ、またセンサを内蔵する照明器具が故障しても照明システムが使用不能となることのない点灯装置、照明器具及び照明システムを提供する。【解決手段】センサを内蔵する照明器具は、センサのセンサ信号を受けて動作するセンサ制御回路６６を持つ点灯装置５を有する。これにより、制御ブロックが不要となり、センサを有する照明器具のコストダウンが図れる。また、センサ制御回路６６を持つ点灯装置５は切替え回路６７を有する。これにより、センサを内蔵する照明器具とセンサを内蔵しない照明器具とで同一の点灯装置５を使用することができ、センサを内蔵する照明器具が故障しても、他の照明器具の１つにセンサを内蔵することで、照明システムが使用不能になるのを防止できる。【選択図】図２
2010055767.tif 000002
【特許請求の範囲】
【請求項１】
センサからのセンサ信号を入力するセンサ信号入力端子と、
前記センサ信号入力端子に入力されたセンサ信号に応じて所定の点灯制御動作を決定して動作指令値を出力するとともに該動作指令値を示す制御信号を出力するセンサ制御手段と、
前記センサ制御手段から出力された動作指令値に応じて光源を点灯制御する点灯制御手段と、
前記センサ制御手段から出力された制御信号を外部に出力する制御信号出力端子と、
を備えた点灯装置。
【請求項２】
制御信号を入力する制御信号入力端子を更に備え、
前記センサ制御手段は、前記センサ信号入力端子に入力されたセンサ信号に応じて前記光源を点灯制御する動作モードと、前記制御信号入力端子に入力された制御信号に応じて前記光源を点灯制御する動作モードとを有する請求項１に記載の点灯装置。
【請求項３】
前記センサ信号入力端子を前記制御信号入力端子と兼用又は前記制御信号入力端子を前記センサ信号入力端子と兼用し、兼用した入力端子に入力される信号の形態に応じて前記センサ制御手段の動作モードを切替える切替え手段を更に備えた請求項２に記載の点灯装置。
【請求項４】
センサと、
光源と、
請求項１乃至請求項３のいずれかに記載の点灯装置と、
を備えた照明器具。
【請求項５】
前記センサは、照明器具本体に着脱自在である請求項４に記載の照明器具。
【請求項６】
前記センサは、人感センサ又は明るさセンサである請求項４又は請求項５に記載の照明器具。
【請求項７】
請求項４乃至請求項６のいずれかに記載の照明器具を備えた照明システム。
【発明の詳細な説明】
【技術分野】
【０００１】
本発明は、センサからのセンサ信号に応じて照明の点滅制御、段調光制御、明るさ制御などを行う点灯装置、照明器具及び照明システムに関する。
【背景技術】
【０００２】
従来、人感センサを用いて、人の在／不在を検知し、人の不在時には自動的に照明器具を消灯もしくは調光状態とし、不在時の無駄な電力消費を削減するように制御する照明システムが知られている（例えば、特許文献１参照）。
【０００３】
また、明るさセンサを用いて照明空間の明るさを検知し、照明空間の明るさが略一定となるように照明器具の明るさを自動的に調整（調光）するようにした照明システムも知られている（例えば、特許文献１又は特許文献２参照）。このような明るさセンサを用いた照明システムにおいては、例えば昼間など窓から外光が入る場合には、照明空間の明るさが所定の明るさとなるように照明器具を自動的に暗くすることにより、昼間の無駄な消費電力を削減することが可能である。
【０００４】
このようなセンサを利用した照明システムの一般的な構成例を図９に示す。図９に示すセンサ装置１００は、照明空間の人の在／不在を検知する人感センサ又は照明空間の明るさを検知する。センサ装置１００には商用電源ＡＣからセンサ装置駆動用の電源が電源線２を介して供給される。照明空間には複数の照明器具Ｂｌ、Ｂ２〜ＢＮが設置されており、各々の照明器具には、電源線２を介して商用電源ＡＣからの電源と、制御線３を介してセンサ装置１００からの制御信号とが供給される。
【０００５】
一般的にセンサ装置１００は、人感センサあるいは明るさセンサ（図示略）と、該センサからのセンサ信号を受けて照明器具Ｂ１、Ｂ２〜ＢＮの点滅あるいは明るさを制御する調光信号を出力する制御ブロック（図示略）とから構成される。前記制御ブロックは、例えば人感センサが人を検知した場合には照明器具Ｂ１、Ｂ２〜ＢＮに点灯信号を出力し、人が不在になった後、所定の時間経過後に消灯信号あるいは調光信号を出力し、照明器具Ｂ１、Ｂ２〜ＢＮを自動的に制御する。また、明るさセンサを用いる場合には、照明器具Ｂ１、Ｂ２〜ＢＮに調光信号を出力し、明るさセンサの検知する明るさが所定の値になるように、照明器具Ｂ１、Ｂ２〜ＢＮの明るさをフィードバック制御する。このように、センサ装置１００には、人感センサあるいは明るさセンサと、該センサのセンサ信号に応じた制御信号を照明器具に送出する制御ブロックとが内蔵されているため、照明器具Ｂ１、Ｂ２〜ＢＮとしては一般的な調光用の照明器具を用いることができ、また、１台のセンサ装置１００で複数台の照明器具Ｂ１、Ｂ２〜ＢＮを一括して制御することが可能である。
【０００６】
次に、照明器具とセンサ装置を一体化した照明システムの構成例を図１０に示す。図１０に示す照明器具Ｃ１は、センサ１と制御ブロック４（図１１参照）を内蔵し、制御線３を介して送出する制御信号に応じてその他の照明器具Ｂ２〜ＢＮを同時に制御する。センサ信号に応じた動作は図９の場合と同様である。
【０００７】
図１１にセンサ１と制御ブロック４を内蔵した照明器具Ｃ１及びその他の照明器具Ｂ２〜ＢＮの構成を示す。図１１（ａ）に示すように、センサ１と制御ブロック４を内蔵した照明器具Ｃ１には、外部から商用電源ＡＣが供給され、この商用電源ＡＣが制御ブロック４と点灯装置５５に供給されるとともに他の照明器具Ｂ２〜ＢＮへ送出される。照明器具Ｃ１の制御ブロック４は、センサ１のセンサ信号を受けて、前述した人感センサ制御あるいは明るさセンサ制御を行い、点灯装置５５に各制御に応じた制御信号を送出するとともに、該制御信号を他の照明器具Ｂ２〜ＢＮへ送出する。照明器具Ｃ１の点灯装置５５は、制御ブロック４から入力される制御信号に応じて光源６を点灯／消灯あるいは調光する。一方、図１１（ｂ）に示すように、その他の照明器具Ｂ２〜ＢＮは、照明器具Ｃ１から電源線２を介して送出される商用電源と、制御線３を介して送出される制御信号を各々入力し、点灯装置５５によって光源６を点灯／消灯あるいは調光する。このように、センサ１と制御ブロック４を内蔵した照明器具Ｃ１を用いることにより、センサ装置１００を別に設置する必要がなく照明システムを構築できる。
【０００８】
【特許文献１】特開平９−０６３７７２号公報
【特許文献２】特開平１１−１８５９７３号公報
【発明の開示】
【発明が解決しようとする課題】
【０００９】
しかしながら、前述した従来の照明システムにおいては、センサを内蔵する照明器具に制御ブロックも設ける必要があるので、その分、センサを内蔵する照明器具の単価が上がり、照明システムのコストアップに繋がるという問題がある。また、センサを内蔵する照明器具は、センサを内蔵しない照明器具を制御するため、センサを内蔵する照明器具が故障した場合に照明システムが使用不能になるという問題もある。
【００１０】
本発明は、係る事情に鑑みてなされたものであり、センサを内蔵しない照明器具を制御するための制御ブロックを持つことなく、センサを内蔵しない照明器具を制御することができ、またセンサを内蔵する照明器具が故障しても照明システムが使用不能となることのない点灯装置、照明器具及び照明システムを提供することを目的とする。
【課題を解決するための手段】
【００１１】
本発明の点灯装置は、センサからのセンサ信号を入力するセンサ信号入力端子と、前記センサ信号入力端子に入力されたセンサ信号に応じて所定の点灯制御動作を決定して動作指令値を出力するとともに該動作指令値を示す制御信号を出力するセンサ制御手段と、前記センサ制御手段から出力された動作指令値に応じて光源を点灯制御する点灯制御手段と、前記センサ制御手段から出力された制御信号を外部に出力する制御信号出力端子と、を備えた。
【００１２】
この構成によれば、センサ信号に応じた制御を行うセンサ制御回路を有するとともに、他の点灯装置へ制御信号を送出する制御信号送出端子を有するので、センサを内蔵しない照明器具を制御するための制御ブロックが不要となり、安価な点灯装置を提供できる。
【００１３】
また、上記構成において、制御信号を入力する制御信号入力端子を更に備え、前記センサ制御手段は、前記センサ信号入力端子に入力されたセンサ信号に応じて前記光源を点灯制御する動作モードと、前記制御信号入力端子に入力された制御信号に応じて前記光源を点灯制御する動作モードとを有する。
【００１４】
この構成によれば、センサからのセンサ信号でも、他の点灯装置からの制御信号でも光源を点灯制御することができる。
【００１５】
また、上記構成において、前記センサ信号入力端子を前記制御信号入力端子と兼用又は前記制御信号入力端子を前記センサ信号入力端子と兼用し、兼用した入力端子に入力される信号の形態に応じて前記センサ制御手段の動作モードを切替える切替え手段を更に備えた。
【００１６】
この構成によれば、センサ信号入力端子にセンサ信号が入力された場合にはセンサ制御手段をセンサ信号に応じた動作モードに切替え、信号入力端子に制御信号が入力された場合にはセンサ制御手段を制御信号に応じた点灯制御動作モードに切替えるので、センサを内蔵する照明器具とセンサを内蔵しない照明器具とで同一の点灯装置を使用することができ、照明システムの構築に当たって複数種類の照明器具を選定する必要がなくなる。また、センサを内蔵する照明器具が故障しても、他の照明器具にセンサを内蔵することで、照明システムが使用不能になることがない。更には、照明空間のレイアウト変更などによって、センサの配置を変更したい場含においても点灯装置の動作の切替えを行うことにより、センサの配置の変更を容易に行うことができる。
【００１７】
本発明の照明器具は、センサと、光源と、前記点灯装置とを備えた。
【００１８】
この構成によれば、安価で、かつ汎用性の優れた照明器具を提供できる。
【００１９】
また、上記構成において、前記センサは、照明器具本体に着脱自在である。
【００２０】
この構成によれば、複数の照明器具の所望のものにセンサを取付けることができ、上述したように、センサを内蔵する照明器具が故障しても、他の照明器具にセンサを内蔵することで、照明システムが使用不能になることを防ぐことができる。また、照明空間のレイアウト変更などによって、センサの配置を変更したい場含においても点灯装置の動作の切替えを行うことにより、センサの配置の変更を容易に行うことができる。
【００２１】
また、上記構成において、前記センサは、人感センサ又は明るさセンサである。
【００２２】
本発明の照明システムは、前記照明器具を備えた。
【００２３】
この構成によれば、安価で、かつ汎用性の優れた照明システムを提供できる。
【発明の効果】
【００２４】
本発明は、センサを内蔵する照明器具が、センサのセンサ信号を受けて動作するセンサ制御回路を持つ点灯装置を有するので、制御ブロックが不要となり、センサを内蔵する照明器具の単価を下げることができ、照明システムのコストダウンが図れる。また、センサ制御回路を持つ点灯装置は切替え手段を有するので、センサを内蔵する照明器具とセンサを内蔵しない照明器具とで同一の点灯装置を使用することができ、照明システムの構築に当たって複数種類の照明器具を選定する必要がなくなる。また、センサを内蔵する照明器具が故障しても、他の照明器具にセンサを内蔵することで、照明システムが使用不能になることがない。更には、照明空間のレイアウト変更などによって、センサの配置を変更したい場含においても点灯装置の動作の切替えを行うことにより、センサの配置の変更を容易に行うことができる。
【発明を実施するための最良の形態】
【００２５】
以下、本発明を実施するための好適な実施の形態について、図面を参照して詳細に説明する。
【００２６】
（実施の形態１）
図１は、本発明の実施の形態１に係る照明器具の概略構成を示すブロック図である。本実施の形態の照明器具Ａ１は、図１（ａ）に示すように、人感センサ又は明るさセンサよりなるセンサ１と、光源６の点灯制御及びセンサ１のセンサ信号に応じた点滅あるいは調光制御を行う点灯装置５とを備える。点灯装置５には照明器具Ａ１の外部から商用電源ＡＣが供給される。センサ１は、点灯装置５に着脱自在に取付けられる。点灯装置５は、センサ１が人感センサの場合には、人を検知することで光源６を自動的に点灯し、人が不在になった後、所定の時問経過後に光源６を自動的に消灯あるいは調光点灯する。また、点灯装置５は、センサ１が明るさセンサの場合には、検知する明るさが所定の値になるように光源６の調光度合いを自動的に制御し、検知する明るさが所定の値となるようにフィードバック制御を行う。また、点灯装置５は、センサ１のセンサ信号に応じた制御動作を示す制御信号を出力する制御信号出力端子（後述する）を備えており、制御線３を介して他の照明器具Ａ２〜ＡＮに該制御信号を送出する。
【００２７】
他の照明器具Ａ２〜ＡＮは、センサ１を内蔵しておらず、図１（ｂ）に示すように点灯装置５と光源６を備えている。点灯装置５は照明器具Ａ１のものと同様のものである。点灯装置５には商用電源ＡＣが供給され、また照明器具Ａ１から制御線３を介して送出された制御信号が入力される。点灯装置５は、入力される制御信号に応じて光源６の点灯制御を行うことにより、照明器具Ａ１の点灯制御動作に連動した動作を行う。点灯装置５は、入力された制御信号を他の照明器具に送出するための制御信号出力端子を備えている。これにより、センサ１を内蔵した照明器具Ａ１の動作に連動して、複数台のセンサ１を内蔵しない照明器具Ａ２〜ＡＮを連動制御することが可能となる。本実施の形態の照明器具Ａ１は、図１１に示した照明器具Ｃ１と比べると、制御ブロック４が不要となるため、コストダウンが図れる。すなわち、点灯装置５の単価を下げることができるので、必然的に照明器具のコストダウンが図れる。
【００２８】
図２は、点灯装置５の詳細な構成を示すブロック図である。図２において、点灯装置５は、電源入力端子６０と、センサ信号入力端子６１と、制御信号出力端子６２と、光源接続端子６３と、点灯回路６４と、点灯制御回路６５と、センサ制御回路６６と、切替え回路６７とを備える。
【００２９】
電源入力端子６１には商用電源ＡＣが入力される。センサ信号入力端子６１には、センサ１のセンサ信号又は制御信号が入力される。制御信号出力端子６２からは制御信号が出力される。光源接続端子６３は、点灯回路６４と光源６とを接続する。センサ制御回路６６は、センサ信号入力端子６１に入力された信号に応じて所定の点灯制御動作を決定して動作指令値を点灯制御回路６５へ出力するとともに、該動作指令値を示す制御信号を制御信号出力端子６２から外部へ出力する。切替え回路６７は、センサ制御回路６６の動作モードをセンサ１のセンサ信号に応じた点灯制御動作モード又は制御信号に応じた点灯制御動作モードに切替える。点灯制御回路６５は、センサ制御回路６６からの動作指令値を元に点灯回路６４を制御して光源６の点灯状態（点灯／消灯／調光）を変える。点灯回路６４は、点灯制御回路６５の制御に従い、光源６の点灯／消灯／調光を行う。
【００３０】
図３は、点灯装置５の外観構成を模式的に示す図である。図３において、コネクタＣＯＮ１は電源入力端子６０、コネクタＣＯＮ２は光源接続端子６３、コネクタＣＯＮ３はセンサ信号入力端子６１、コネクタＣＯＮ４は制御信号出力端子６２である。点灯装置５では、コネクタＣＯＮ３から入力される信号を自動的に識別し、自動的に制御動作を切替える。ここで、図４（ａ）に示すように、人感センサのＨｉ／Ｌｏ信号あるいは図４（ｂ）に示すような明るさセンサのアナログ信号が入力された場合にはセンサ１が接続されていると認識し、自動的にセンサ信号に応じた点灯制御動作モードに切り替る。また、例えば図５に示すようなＰＷＭ信号が入力された場合には制御信号が入力されたと認識し、自動的に制御信号のＰＷＭ−Ｄｕｔｙ値に応じた点灯制御動作モードに切り替る。
【００３１】
このように、切替え回路６７を備えることにより、コネクタＣＯＮ３（センサ信号入力端子６１）にセンサ１が接続された場合には、センサ１のセンサ信号に応じた点灯制御動作モードに切替え、コネクタＣＯＮ３に制御信号が入力された場合には、該制御信号に応じた点灯制御動作モードに切替えることが可能となり、センサ１を内蔵する照明器具Ａ１と、センサ１を内蔵しない照明器具Ａ２〜ＡＮとで同一の点灯装置５を使用することが可能となる。
【００３２】
本実施の形態の照明器具Ａ１は、図１１に示した照明器具Ｃ１と比べると、制御ブロック４が不要となるため、センサ１を内蔵する照明器具とセンサ１を内蔵しない照明器具の構成の違いはセンサ１の有無だけであり、センサ１の有無あるいはセンサ１の取付け／取外しによって同一構成の照明器具を用いることができ、照明空間のレイアウト変更時などにおいて、照明システム構成の変更を容易に行うことができる。
【００３３】
以上のように本実施の形態によれば、センサ１を内蔵する照明器具Ａ１が、センサ１のセンサ信号を受けて動作するセンサ制御回路６６を持つ点灯装置５を有するので、制御ブロック４（図１１参照）が不要となり、センサ１を有する照明器具Ａ１のコストダウンが図れる。また、センサ制御回路６６を持つ点灯装置５は切替え回路６７を有するので、センサ１を内蔵する照明器具Ａ１とセンサ１を内蔵しない照明器具Ａ２〜ＡＮとで同一の点灯装置５を使用することができ、照明システムの構築に当たって複数種類の照明器具を選定する必要がない。また、センサ１を内蔵する照明器具Ａ１が故障しても、他の照明器具Ａ２〜ＡＮの１つにセンサ１を内蔵することで、照明システムが使用不能になることがない。更には、照明空間のレイアウト変更などによって、センサ１の配置を変更したい場含においても点灯装置５の動作の切替えを行うことにより、センサ１の配置の変更を容易に行うことができる。
【００３４】
（実施の形態２）
図６は、本発明の実施の形態２に係る照明器具の点灯装置の外観構成を模式的に示す図である。図６に示すように、点灯装置５Ｂは、商用電源ＡＣを接続するコネクタＣＯＮ１と、光源６を接続するコネクタＣＯＮ２と、センサ１のセンサ信号を入力するコネクタＣＯＮ３と、制御信号を入力するコネクタＣＯＮ４と、制御信号を出力するコネクタＣＯＮ５とを備える。点灯装置５Ｂは、コネクタＣＯＮ３を介してセンサ１のセンサ信号が入力された場合には、該センサ信号に応じた制御動作を行ない、コネクタＣＯＮ４を介して制御信号が入力された場合には、該制御信号に応じた制御動作を行う。つまり、コネクタＣＯＮ３又はコネクタＣＯＮ４のいずれかに信号を入力するか否かで制御動作の切替えを可能としている。
【００３５】
（実施の形態３）
図７は、本発明の実施の形態３に係る照明器具の点灯装置の外観構成を模式的に示す図である。図７に示すように、点灯装置５Ｃは、上述した点灯装置５Ｂが有するコネクタＣＯＮ５を持たず、コネクタＣＯＮ３をセンサ１のセンサ信号と制御信号の兼用入力端子とし、また自身（点灯装置５Ｃ）の制御動作を切替える切替えスイッチＳＷ１を有する。本構成であれば、図６のように信号線の接続を変える必要がなく、スイッチ操作で簡単に制御動作を切替えることができる。
【００３６】
次に、本発明の効果を明確にするために行った実施例について説明する。
（実施例）
図８は、本発明の実施例の照明器具の回路構成図である。図８において、本実施例は、蛍光灯を光源とした場合を例に、図３に示す点灯装置５の回路構成をより詳細に示したものである。図８に示すように、点灯装置５は、商用電源ＡＣを入力するコネクタＣＯＮ１と、コネクタＣＯＮ１を介して入力された商用電源を全波整流するダイオードブリッジＤ１〜Ｄ４と、ダイオードブリッジＤ１〜Ｄ４の出力電圧を昇圧平滑するチョッパ回路（インダクタＬ１、ダイオードＤ５、平滑コンデンサＣ１、スイッチング素子Ｑ１及びＰＦＣ制御回路１４で構成される）とを備える。チョッパ回路によって昇圧平滑された直流電圧Ｖｄｃは、交互にオン／オフするスイッチング素子Ｑ２、Ｑ３によって高周波電圧に変換され、インダクタＬ２、コンデンサＣ３及びＣ４よりなる共振回路を介して、コネクタＣＯＮ２（ＣＯＮ２Ａ、ＣＯＮ２Ｂ）に接続される蛍光灯ＦＬに高周波電力が供給され、蛍光灯ＦＬが高周波で点灯する。トランスＴ１は、スイッチング素子Ｑ２、Ｑ３から出力される高周波電圧をコンデンサＣ２で直流成分を除去し、トランスＴ１の二次巻線からコンデンサＣ５、Ｃ６を介して蛍光灯ＦＬの各々の電極に予熱電流を供給する。
【００３７】
インバータ制御回路１２は、スイッチング素子Ｑ２、Ｑ３を交互にオン／オフするスイッチング周波数を変化させることにより、蛍光灯ＦＬの調光制御を行い、またスイッチング素子Ｑ２、Ｑ３のスイッチング動作を停止することにより蛍光灯ＦＬの消灯制御を行う。制御電源回路１３は、直流電圧Ｖｄｃを降圧し、マイコン１１を駆動する制御電源を生成するとともに、コネクタＣＯＮ３を介して、外部に接続されるセンサにセンサ駆動用の電源を供給する。センサのセンサ信号あるいは制御信号はコネクタＣＯＮ３を介してマイコン１１に入力される。
【００３８】
マイコン１１は、実施の形態１で説明したように、コネクタＣＯＮ３を介して入力される信号を自動的に判別する。例えば入力される信号が、Ｈｉ／Ｌｏ信号であれば人感センサが接続されていると認識し、人感センサが人を検知した場合にはインバータ制御回路１２に点灯信号を出力し、人が不在になった後、所定の時間経過後にインバータ制御回路１２に消灯信号あるいは調光信号を出力し、蛍光灯ＦＬの点灯状態を自動的に制御する。また、入力される電圧がアナログ信号である場合には、明るさセンサが接続されていると認識し、インバータ制御回路１２に調光信号を出力し、明るさセンサの検知する明るさが所定の値になるように、蛍光灯ＦＬの調光度合いをフィードバック制御する。マイコン１１は更に、上記のようなセンサのセンサ信号に応じた点灯制御動作を示す制御信号を、コネクタＣＯＮ４を介して外部に送出する。制御信号としては、例えば実施の形態１の図５で説明したようなＰＷＭ信号を送出することができる。
【００３９】
以上が、本実施例の点灯装置をセンサ内蔵の照明器具に使用する場合の動作であるが、本実施例の点灯装置を、センサを内蔵しない照明器具に使用する場合には、他の点灯装置から送出された制御信号がコネクタＣＯＮ３を介してマイコン１１に入力される。マイコン１１は、例えばＰＷＭ信号のような制御信号の形態を自動的に認識し、制御信号に応じた点灯／消灯／調光信号をインバータ制御回路１２に出力する。また、同時に入力された制御信号を、コネクタＣＯＮ４を介して外部に送出する。
【００４０】
本実施例の構成により、比較的安価なマイコンを用いて本発明を用いた蛍光灯点灯装置を実施することが可能である。また、点灯装置内部で生成された制御電源をセンサに送出しているため、センサに別途電源回路を設ける必要がない。更に、従来例の図１１（ａ）で説明した構成では、制御ブロック４の電源供給能力に制限が生じるため、センサを内蔵した照明器具に連動して動作する照明器具の接続台数に制限を設ける必要があったが、本実施例によると、別の点灯装置に送出する制御信号を生成する制御電源を点灯装置内部で生成しているため、本実施例の点灯装置を介して複数台の照明器具を、制御線を用いて直列接続すれば、センサを内蔵した照明器具に連動して動作する照明器具の接続台数に制限を設ける必要がなく、照明システムを構築できるという利点がある。
【産業上の利用可能性】
【００４１】
本発明は、センサを内蔵しない照明器具を制御するための制御ブロックを持つことなく、センサを内蔵しない照明器具を制御することができ、またセンサを内蔵する照明器具が故障しても照明システムが使用不能となることがないといった効果を有し、照明システムへの適用が可能である。
【図面の簡単な説明】
【００４２】
【図１】本発明の実施の形態１に係る照明器具の概略構成を示すブロック図
【図２】図１の照明器具の点灯装置の詳細な構成を示すブロック図
【図３】図２の点灯装置の外観構成を模式的に示す図
【図４】人感センサのセンサ信号と明るさセンサのセンサ信号を示す波形図
【図５】ＰＷＭ信号を示す波形図
【図６】本発明の実施の形態２に係る照明器具の点灯装置の外観構成を模式的に示す図
【図７】本発明の実施の形態３に係る照明器具の点灯装置の外観構成を模式的に示す図
【図８】本発明の実施例の照明器具の回路構成図
【図９】従来の照明システムを示す図
【図１０】従来の照明システムを示す図
【図１１】従来の照明システムの照明器具の概略構成を示すブロック図
【符号の説明】
【００４３】
Ａ１、Ａ２〜ＡＮ  照明器具
１  センサ
２  電源線
３  制御線
５、５Ｂ、５Ｃ  点灯装置
６  光源
６０  電源入力端子
６１  センサ信号入力端子
６２  制御信号出力端子
６３  光源接続端子
６４  点灯回路
６５  点灯制御回路
６６  センサ制御回路
６７  切替え回路
ＳＷ１  切替えスイッチ
【図１】
2010055767.tif 000003
【図２】
2010055767.tif 000004
【図３】
2010055767.tif 000005
【図４】
2010055767.tif 000006
【図５】
2010055767.tif 000007
【図６】
2010055767.tif 000008
【図７】
2010055767.tif 000009
【図８】
2010055767.tif 000010
【図９】
2010055767.tif 000011
【図１０】
2010055767.tif 000012
【図１１】
2010055767.tif 000013